(57)【特許請求の範囲】
【請求項１】
裏側に設けられた球貯留排出経路部(14)を構成する球送出路部(24)と、該球送出路部(24)の下側に配設された球払出装置(L1,L2)と、前記球送出路部(24)内に上下方向に画成される球送出路(24a,24b)に臨むように該球送出路部(24)に配設され、常には第１位置にあって前記球送出路(24a,24b)の球送出口(24c,24d)を開放して、該球送出路(24a,24b)内に貯留された貯留球の該球送出口(24c,24d)から球払出装置(L1,L2)への通出を許容する一方、前記第１位置から第２位置へ到来させることで前記球送出口(24c,24d)を閉成して、前記球送出路(24a,24b)内に貯留された貯留球の該球送出口(24c,24d)から球払出装置(L1,L2)への通出を規制する貯留球通出規制部材(60)とを備えるパチンコ遊技機において、
前記貯留球通出規制部材(60)は、
前記球送出路部(24)に設けた挿通口(36,47)に挿通されて前記球送出路(24a,24b)と交差し、前記球送出口(24c,24d)に近接して臨んだ状態で球送出路部(24)に押込まれた前記第１位置と該球送出路部(24)から引出された第２位置との間をスライド移動可能な規制板部(61)と、
前記規制板部(61)の適宜位置に開設され、前記貯留球を１球ずつ通過させる寸法に設定した球通過口(64,65)と、
前記規制板部(61)における一方端部に設けられ、該規制板部(61)を前記球送出路部(24)の挿通口(36,47)に挿通した状態で該球送出路部(24)の外側に位置する把持片(62)と、
前記把持片(62)から立設した支持片(68)の先端に、前記規制板部(61)の他方端部側に突出するように設けられて前記球送出路部(24)に形成した第１の係合部(49)に球送出路部(24)内で係脱自在に係合する第１の係合片(69)と、
前記支持片(68)の先端から前記第１の係合片(69)と反対側に突出するように設けられて前記把持片(62)の側方に臨み、把持片(62)側への押圧操作により前記支持片(68)を中心に前記第１の係合片(69)を揺動変位させて前記第１の係合部(49)から離脱させる操作片(70)と、
前記規制板部(61)に設けられ、該規制板部(61)を前記第２位置へ到来させた際に、前記球送出路部(24)に突設した第２の係合片(38)と係脱自在に係合する第２の係合部(72)とからなり、
前記貯留球通出規制部材(60)は、前記第１の係合片(69)を第１の係合部(49)に球送出路部(24)内で係合させることで前記規制板部(61)が前記第１位置に保持されて、該規制板部(61)の前記球通過口(64,65)と前記球送出路(24a,24b)の球送出口(24c,24d)とを全面的に連通して、球送出路(24a,24b)内の貯留球が該球送出口(24c,24d)から通出されるのを許容し、
前記操作片(70)を把持片(62)側へ押圧操作して前記第１の係合片(69)を前記第１の係合部(49)から離脱させたもとで、前記規制板部(61)を球送出路部(24)から引出すように移動して第２の係合部(72)が第２の係合片(38)に係合することで位置規制される前記第２位置へ到来させることで、前記球通過口(64,65)と前記球送出口(24c,24d)とが部分的にのみ連通して、球送出路(24a,24b)内の貯留球が該球送出口(24c,24d)から通出されるのを規制し、
前記第２位置では、前記第１の係合片(69)の先端が前記球送出路部(24)の外側壁面に当接することで、前記規制板部(61)の第１位置側への移動を規制するよう構成した
ことを特徴とするパチンコ遊技機の貯留球通出規制部材。
【発明の詳細な説明】
【０００１】
【発明の属する技術分野】
この発明は、パチンコ遊技機の貯留球通出規制部材に関し、更に詳細には、遊技媒体としてパチンコ球を使用するパチンコ遊技機において、球貯留排出経路部と球払出装置との間に配設され、この球貯留排出経路部内に一時的に貯留された賞球および貸球として払い出される貯留球の通出を規制する貯留球通出規制部材に関するものである。
【０００２】
【従来の技術】
パチンコ機やアレンジボール機に代表されるこの種のパチンコ遊技機は、遊技ホール内の設置枠台(通称「島」)に縦向きの姿勢で設置されて遊技に供され、そして機内の遊技盤内で展開されるパチンコゲーム中に成立した入賞(例えばセーフ球の発生や図柄組合わせによる得点)に対し、機裏側の機構セット盤に形成配置した球タンクや整流路および球送出路等から構成される球貯留排出経路部内に貯留されたパチンコ球(貯留球)を、前記球送出路の球送出口の下方に配設した球払出装置の作動制御のもとに、所定数の賞球として機前側の上球皿または下球皿側へ給出するようになっている。一方、貸球用のカードおよびカードユニットを利用して貯留球を貸出し得るタイプの遊技機(一般に「カード式パチンコ遊技機」ともいう)では、前述した賞球払出しとは別に、遊技者による適正な球貸し操作に応答して前記球払出装置または別途設置された別の球払出装置が作動されることにより、所定数の貸球として上球皿側へ給出されるようになっている。
【０００３】
前記球貯留供給経路部内には、遊技盤内でのパチンコゲームにおいて所謂「大当り」の特別遊技状態が発生しても円滑に賞球を払出し得るように、機外の球補給設備から適時にパチンコ球を補充投入して常に一定量以上のパチンコ球が貯留されている。このため、例えば前記球貯留排出経路部の点検や修理、殊に前記球払出装置の取外し点検や新品交換に際しては、該球貯留排出経路部内の貯留球を所定位置で一時的に球止め(通出規制)し得ることが望まれている。
【０００４】
【発明が解決しようとする課題】
そこでこの種のパチンコ遊技機にあっては、貯留球の球止めに係る一般的な技術として、例えば前記球貯留排出経路部の下流部上方(球送出路部)に鈎形状をなす回動式の貯留球通出規制部材が配設されており、球払出装置の取外しに先立つ球止め時には、この規制部材を通常の通出許容位置(第１位置)から通出規制位置(第２位置)に回動変位させて、その爪部で球貯留排出経路部内の貯留球を受止め、規制位置から上流側の球容器に至る貯留球を通出規制(阻止)し得るようになっている。しかしながら、このような通出規制技術では、貯留球通出規制部材の通出規制位置から下流に貯留された貯留球の通出規制を図り得ないため、前記球払出装置を取外した際には、相当数をやむなく通出落下させざるを得ない。また、点検・修理済みの球払出装置の組付けセット後に、球詰まりまたは球切り状態が不十分である場合には、同装置の再度の取外し点検に伴って再び相当数が通出落下する結果を招来してしまっていた。
【０００５】
更に、前記カード式パチンコ遊技機においては、前記球送出路部が貸球用の球送出路(第１球送出路)と、賞球用の球送出路(第２球送出路)とから構成されている。しかしながら従来のカード式パチンコ遊技機では、これら第１球送出路および第２球送出路に、単独操作される専用の前記貯留球通出規制部材を個別に配設するようになっていた。このため、球貯留排出経路部内における第１球送出路内および第２球送出路内の夫々の貯留球に対する通出規制および通出許容に関しては、各貯留球通出規制部材を別々に操作する必要があり、繁雑で面倒な作業を伴う欠点を有していた。
【０００６】
【発明の目的】
本発明は、前述した従来の技術に内在している前記課題に鑑み、これを好適に解決するべく提案されたものであって、球払出装置を機構セット盤から取外した際に、球貯留排出経路部に一時的に貯留されている貯留球が球送出口から通出しないように規制すると共に、貸球用の球送出路および賞球用の球送出路に対する通出規制を同時になし得るよう構成したパチンコ遊技機の貯留球通出規制部材を提供することを目的とする。
【０００７】
【課題を解決するための手段】
前述した課題を克服し、所期の目的を好適に達成するため本発明は、
裏側に設けられた球貯留排出経路部を構成する球送出路部と、該球送出路部の下側に配設された球払出装置と、前記球送出路部内に上下方向に画成される球送出路に臨むように該球送出路部に配設され、常には第１位置にあって前記球送出路の球送出口を開放して、該球送出路内に貯留された貯留球の該球送出口から球払出装置への通出を許容する一方、前記第１位置から第２位置へ到来させることで前記球送出口を閉成して、前記球送出路内に貯留された貯留球の該球送出口から球払出装置への通出を規制する貯留球通出規制部材とを備えるパチンコ遊技機において、
前記貯留球通出規制部材は、
前記球送出路部に設けた挿通口に挿通されて前記球送出路と交差し、前記球送出口に近接して臨んだ状態で球送出路部に押込まれた前記第１位置と該球送出路部から引出された第２位置との間をスライド移動可能な規制板部と、
前記規制板部の適宜位置に開設され、前記貯留球を１球ずつ通過させる寸法に設定した球通過口と、
前記規制板部における一方端部に設けられ、該規制板部を前記球送出路部の挿通口に挿通した状態で該球送出路部の外側に位置する把持片と、
前記把持片から立設した支持片の先端に、前記規制板部の他方端部側に突出するように設けられて前記球送出路部に形成した第１の係合部に球送出路部内で係脱自在に係合する第１の係合片と、
前記支持片の先端から前記第１の係合片と反対側に突出するように設けられて前記把持片の側方に臨み、把持片側への押圧操作により前記支持片を中心に前記第１の係合片を揺動変位させて前記第１の係合部から離脱させる操作片と、
前記規制板部に設けられ、該規制板部を前記第２位置へ到来させた際に、前記球送出路部に突設した第２の係合片と係脱自在に係合する第２の係合部とからなり、
前記貯留球通出規制部材は、前記第１の係合片を第１の係合部に球送出路部内で係合させることで前記規制板部が前記第１位置に保持されて、該規制板部の前記球通過口と前記球送出路の球送出口とを全面的に連通して、球送出路内の貯留球が該球送出口から通出されるのを許容し、
前記操作片を把持片側へ押圧操作して前記第１の係合片を前記第１の係合部から離脱させたもとで、前記規制板部を球送出路部から引出すように移動して第２の係合部が第２の係合片に係合することで位置規制される前記第２位置へ到来させることで、前記球通過口と前記球送出口とが部分的にのみ連通して、球送出路内の貯留球が該球送出口から通出されるのを規制し、
前記第２位置では、前記第１の係合片の先端が前記球送出路部の外側壁面に当接することで、前記規制板部の第１位置側への移動を規制するよう構成したことを特徴とする。
【０００８】
【作用】
貯留球通出規制部材は、その第１の係合片を球送出路部に形成された第１の係合部に係合させることで、規制板部が第１位置に保持される。これにより、規制板部に形成した球通過口と球送出路の球送出口とが全面的に連通するようになり、球送出路内の貯留球が前記球送出口から通出されるのが許容される。一方、操作片を押圧操作して第１の係合片を第１の係合部から離脱させれば、規制板部の第２位置への到来が許容される。規制板部が第２位置へ到来すると、球通過口と球送出口とが部分的にのみ連通するようになり、球送出路内の貯留球が該球送出口から通出されるのが規制される。
【０００９】
【発明の実施の形態】
次に、本発明に係るパチンコ遊技機の貯留球通出規制部材につき、好適な実施例を挙げ、添付図面を参照しながら以下詳細に説明する。なお本実施例では、貸球用のカードおよびカードユニットを利用して貯留球を貸出し得るカード式パチンコ機を例とし、後述する機構セット盤における球貯留排出経路部の下流側に、ユニット化された球払出装置が設置された形式を主に示す。
【００１０】
(パチンコ機)
そこで、先ず本実施例の貯留球通出規制部材が実施されるパチンコ機について、図１２および図１３を参照して要約説明する。本実施例のパチンコ機Ｐは、その基本的な概略構成として、外枠Ａの開口前面側に対して前枠Ｂが、連結支持手段および施錠手段を利用して着脱および開放可能に組付けられている。そして前枠Ｂの内外部分には、横開き式のガラス扉Ｄを組付けた窓枠Ｃと、ガラス扉Ｄの下部において前枠Ｂに対して着脱および開放可能に組付けられる開閉セット板の前側に上球皿Ｅが組付けられると共に、該開閉セット板の後側に電動式の球送り装置(図示せず)等がセットされている。また、前記前枠Ｂの下部に下球皿Ｆおよび打球発射装置Ｈ等が設置されると共に、裏側に機構セット盤Ｇ等が装備され、更に該前枠Ｂの後側に設けた保持枠１０の正面内部に、所要の遊技領域Ｊａを構成した遊技盤Ｊが着脱交換可能にセットされる。一方、貸球の払出し制御に必要とされる球貸しユニット(カバー式)Ｋが、パチンコ機Ｐの側方(外枠Ａの隣接部位)に設置されて各電子制御部と接続されている。
【００１１】
(機構セット盤)
前記機構セット盤Ｇは、前枠Ｂ裏側に位置する前記遊技盤Ｊセット用の保持枠１０の裏側に着脱可能に装備され、該保持枠１０に対応し得る方形サイズに樹脂成形された本体１１の中央部に遊技盤裏面の点検用の窓口１２が開口され、これに裏カバー部材１３が開閉および着脱可能に取着されており、この窓口１２の上部から右側部に亘る外周囲部に球貯留排出経路部１４等が配設されている。また、この球貯留排出経路部１４の下側に、カセット形態とされる電動制御式の球払出装置Ｌ1,Ｌ2が設置される一方、これら球払出装置Ｌ1,Ｌ2の下方に該装置Ｌ1,Ｌ2から払出された貸球および賞球を前記上球皿Ｅまたは下球皿Ｆへ排出する球排出経路(図示せず)が形成されており、前記球貯留排出経路部１４に貯留された所定数のパチンコ球(貯留球)が、球払出装置Ｌ1,Ｌ2の作動により貸球または賞球として払出されるようになっている。
【００１２】
なお、機構セット盤Ｇのその他の構成として、前記窓口１２の下方に、アウト球およびセーフ球を機外へ排出する球通出経路が形成される他に、球抜き装置,セーフ球検出処理装置,賞球満杯検出装置および貸球用の検出スイッチ(何れも図示せず)等が夫々設置され、そして本体１１の上方隅端部にターミナル基盤(集中基盤ともいう)１５が設置されている。また前記窓口１２の下方背面には、パチンコ機Ｐを全体的に制御するメイン基板を収容した主制御装置１６や、前記打球発射装置Ｈを制御する発射制御基板を収容した発射制御装置１７、前記球払出装置Ｌ1,Ｌ2を制御する払出制御基板を収容した払出制御装置１８、前記遊技盤Ｊでのパチンコゲームに応じた効果音を発生制御する音制御基板を収容した音制御装置１９、球貸しユニットＫと接続して各種データの入力および出力を行なうためのコネクタを備えたインターフェース２０等が所要位置に設置固定される一方、前記裏カバー部材１３の背面に電源基板２１が設置固定されている。
【００１３】
(球貯留排出経路部)
前記球貯留排出経路部１４は、機構セット盤Ｇの上部に上方開口状態で設置される球容器(「球タンク」ともいう)２２と、この球容器２２底面の下流端に開口された球出口に合わせた下部に取着される斜状レール形の整流路部２３と、左右蛇行状に形成されて前記整流路部２３の下流端に連絡するように取着される球送出路部２４とから構成され、相当量(例えば５００個程度)のパチンコ球を貯留球として一時的に貯留し得るようになっている。そして実施例のパチンコ機Ｐでは、前記球送出路部２４が、図２に示す如く上側の第１球送出路部材２５と下側の第２球送出路部材２６とに２分割されており、この第２球送出路部材２６に後述する貯留球通出規制部材６０や貯留球通出切換部材７５等が設置されるようになっている。
【００１４】
なお実施例の整流路部２３は、図２および図３に示すように、幅方向中央部で上方へ突出しかつ長手方向へ延在する仕切板２７により、貯留球を２列整列状態で球送出路部２４へ送出案内する第１整流路２３ａおよび第２整流路２３ｂとを並設した「４条タイプ」が例とされ、例えば第１整流路２３ａを貸球用、第２整流路２３ｂを賞球用として実施に供される。また前記球送出路部２４は、貯留球を１列整列状態で通出案内する「２条タイプ」として、前記第１球送出路部材２５内から第２球送出路部材２６内に亘り、第１球送出路２４ａおよび第２球送出路２４ｂがパチンコ機Ｐの前後方向へ並列的に画成され、この第１球送出路２４ａが前記第１整流路２３ａに整合連通すると共に第２球送出路２４ｂが前記第２整流路２３ｂに整合連通している。すなわち、第１整流路２３ａおよび第２整流路２３ｂを夫々流下した貯留球は、その出口部で２列から１列に整列されながら対応の第１球送出路２４ａおよび第２球送出路２４ｂ内へ流入する。
【００１５】
(球払出装置)
本実施例のパチンコ機Ｐでは、貸球の払出し専用に実施される第１球払出装置Ｌ1と、賞球の払出し専用に実施される第２球払出装置Ｌ2とを有し、機構セット盤Ｇの設置部２８に対して、前後に整合セットした第１球払出装置Ｌ1および第２球払出装置Ｌ2をビス着することで、両球払出装置Ｌ1,Ｌ2を前後２段に装着するようになっている(図９)。なお第１球払出装置Ｌ1および第２球払出装置Ｌ2は、全く同一タイプとされている。
【００１６】
(第２球送出路部材)
次に、本実施例の貯留球通出規制部材６０が装着される前記第２球送出路部材２６につき説明する。この第２球送出路部材２６は、図１および図４等に示す如く、前記第１球送出路部材２５と、設置部２８に装着される前記夫々の球払出装置Ｌ1,Ｌ2との上下間にビス着される。そしてその内部には、前述した如く、第１球払出装置Ｌ1へ供給される貸球を通出案内する蛇行状の前記第１球送出路２４ａと、第２球払出装置Ｌ2へ供給される賞球を通出案内する蛇行状の前記第２球送出路２４ｂと、これら第１球送出路２４ａおよび第２球送出路２４ｂから分岐形成されて前記機構セット盤Ｇに設けた球排出路２９に整合連通する球抜路３０が夫々画成され、全体が単一ユニット部材として構成されている。すなわち第２球送出路部材２６は、前後方向へ互いに組付け可能に合成樹脂成形された第１基材３１および第２基材３２からなり、本実施例の貯留球通出規制部材６０および貯留球通出切換部材７５を、その所要位置に摺動自在に装着し得るようになっている。
【００１７】
(第１基材)
前記第１基材３１は、図５および図６に示す如く、機構セット盤Ｇに接触する矩形状の台座部３３と、この台座部３３に蛇行状に形成されて前記第１球送出路２４ａの一部を画成する第１壁部３４と、この第１壁部３４に段差を以て一体形成されて両球送出路２４ａ,２４ｂの間に延在するようになる仕切壁部３５とが一体的に成形されている。そして、第１球送出路２４ａの球送出口２４ｃに隣接する部位には、前記貯留球通出規制部材６０の挿通および摺動変位を許容する横長矩形状の第１挿通口３６が開口形成されると共に、該第１球送出路２４ａと球抜路３０との分岐部に対応する部位には、前記貯留球通出切換部材７５の挿通および摺動変位を許容する略Ｊ字形状の第２挿通口３７が開口形成されている。また、前記第１挿通口３６の右上端縁部には、前記貯留球通出規制部材６０に係合して該通出規制部材６０の抜止めを図る第１フック片(係合片)３８が立設形成されていると共に、前記第２挿通口３７の右上端縁部には、前記貯留球通出切換部材７５に係合して該切換部材７５の抜止めを図る第２フック片３９が立設形成されている。なお台座部３３の略中央には、第２基材３２との組付用のビス５４が螺着されるボス４０が立設形成されていると共に、左端中央部や下端中央部および右上隅角部等には、当該第１基材３１を機構セット盤Ｇに組付けるためのビス５３(図３)の挿通を許容する挿通口４１が開設されている。
【００１８】
(第２基材)
前記第２基材３２は、図５および図６に示す如く、前記第１基材３１の台座部３３に端部密着して整合する矩形箱状の外郭壁部４２に、外側へ蛇行状に突出形成されて前記第２球送出路２４ｂを画成する第２壁部４３と、同じく外側へ突出形成されて前記球抜路３０を画成する第３壁部４４が一体的に成形されている。また前記外郭壁部４２の内側には、前記第１球送出路２４ａを画成する第４壁部４５および前記球抜路３０を画成する第５壁部４６が形成されている。そして第２球送出路２４ｂの球送出口２４ｄに対応する部位には、前記貯留球通出規制部材６０の挿通および摺動変位を許容する横長矩形状の第１挿通口４７が開口形成されると共に、該第２球送出路２４ｂと球抜路３０との分岐点に対応する部位には、前記貯留球通出切換部材７５の挿通および摺動変位を許容する略Ｊ字形状の第２挿通口４８が開口形成されている。そして、前記第１挿通口４７に隣接した正面右側に、貯留球通出規制部材６０の係合フック片(係合片)６９の挿通および係合を許容する第１開口部(係合部)４９が開設されると共に、前記第２挿通口４８に隣接した上側に、貯留球通出切換部材７５の係合フック片８１の挿通および係合を許容する第２開口部５０が開設されている。なお、外郭壁部４２の略中央には、第１基材３１に立設した前記ボス４０に整合する挿通口５１が開設されていると共に、左端中央部や下端中央部および右上隅角部等には、前記ビス５３(図３)の挿通を許容する挿通口５２が開設されている。
【００１９】
前記第１基材３１および第２基材３２から構成される第２球送出路部材２６は、これら第１基材３１および第２基材３２をビス５４で組付けることにより、前記第１壁部３４と第４壁部４５等により前記第１球送出路２４ａが画成されると共に前記第２壁部４３で前記第２球送出路２４ｂが画成され、また第３壁部４４および第５壁部４６で前記球抜路３０が画成される。そして、前記第１球送出路２４ａおよび第２球送出路２４ｂの間に前記仕切壁部３５が延在するようになり、第１球送出路２４ａと第２球送出路２４ｂとは、パチンコ機Ｐの前後方向へ所要間隔を以て並行的に延在している。なお、第２球送出路部材２６の下面には、第１球送出路２４ａの球送出口２４ｃと第２球送出路２４ｂの球送出路２４ｄが開口している(図７(ｃ))。また、第１基材３１および第２基材３２に形成した前記各第１挿通口３６,４７の間には、前記貯留球通出規制部材６０を摺動自在に案内するガイド溝５５が、前記第１球送出路２４ａおよび第２球送出路２４ｂと交差する方向に延在形成されている(図９)。
【００２０】
(貯留球通出規制部材について)
本実施例の貯留球通出規制部材６０は、図７〜図９に示す如く、前記夫々の第１挿通口３６,４７および前記ガイド溝５５により、第１球送出路２４ａおよび第２球送出路２４ｂに交差し、かつ夫々の球送出口２４ｃ,２４ｄに臨んで形成された収容設置部５６に装着され、第１球送出路２４ａ内の貸球および第２球送出路２４ｂ内の賞球に対する通出規制を同時に図るものである。この貯留球通出規制部材６０は、一方端部に把持片６２を一体的に設けて前記収容設置部５６に挿通される細長シャッター状を呈する規制板部６１と、この把持片６２の側面に一体的に形成されて前記規制板部６１の側方に沿設される姿勢保持部６３とから構成され、全体が合成樹脂製の一体成形品である。前記規制板部６１には、貯留球(貸球)の通過を許容するように矩形状に形成されて前記第１球送出路２４ａに整合可能な第１球通過口６４と、同じく貯留球(賞球)の通過を許容するように矩形状に形成されて前記第２球送出路２４ｂに整合可能な第２球通過口６５とが、前記第１球送出路２４ａと第２球送出路２４ｂとの配設間隔と同一間隔で形成されている。また、各球通過口６４,６５の側方(前記把持片６２側と対向する方向)には、傾斜面に形成された球規制片部６６,６７が夫々の球通過口６４,６５に隣設され、後述する如く、夫々の球送出口２４ｃ,２４ｄを貯留球の直径よりも幅狭に開口させて該貯留球の通過を規制するようになっている。
【００２１】
(姿勢保持部)
前記姿勢保持部６３は、前記把持片６２から立設した支持片６８を中心に揺動可能なレバー状を呈しており、該支持片６８から前方へ延出して前記第１開口部４９に係脱可能に係合する係合フック片６９と、該支持片６８から後方へ突出して前記把持片６２の側方へ臨む操作片７０とから構成されている。この姿勢保持部６３は、図７に示す如く、常には前記規制板部６１と略平行に延在しており、指先操作により前記操作片７０を前記把持片６２側へ押圧操作すると、前記支持片６８を中心として前記係合フック片６９が反対側(規制板部６１から離間する方向)へ弾性的に変位し、前記規制板部６１に対して適宜傾斜するようになっている。そして、前記収容設置部５６に設置された前記貯留球通出規制部材６０は、前記姿勢保持部６３の係合フック片６９を前記第１開口部４９に係合させると、前記規制板部６１が第２球送出路部材２６へ完全に挿入された第１位置(貯留球の通出許容位置)に位置決めされ、該係合フック片６９と該第１開口部４９との係合を解除させて引張ると、該規制板部６１が第２球送出路部材２６から適宜露出して第２位置(貯留球の通出規制位置)に位置決めされ得るようになっている。
【００２２】
(貯留球通出規制部材の第１位置)
そして、前記貯留球通出規制部材６０の規制板部６１が前記第１位置に到来した際には(図７(ｃ)および図８(ｂ))、前記第１球通過口６４が第１球送出路２４ａの球送出口２４ｃに全面的に整合すると共に、前記第２球通過口６５が第２球送出路２４ｂの球送出口２４ｄに全面的に整合するように設定されている。すなわち、貯留球通出規制部材６０を第１位置に到来させると、第１球送出路２４ａ内に貯留されている貸球としての貯留球および第２球送出路２４ｂ内に貯留されている賞球としての貯留球の夫々の通出を許容する貯留球通出許容状態とされ、前記第１球払出装置Ｌ1および第２球払出装置Ｌ2に対して、第１球送出路２４ａおよび第２球送出路２４ｂ内の夫々の貯留球が通出可能とされる。
【００２３】
(貯留球通出規制部材の第２位置)
一方、前記貯留球通出規制部材６０の規制板部６１が前記第２位置に到来した際には(図７(ａ)および図８(ａ))、前記第１球通過口６４が第１球送出路２４ａの球送出口２４ｃから変移して該球送出口２４ｃに前記球規制片部６６が到来して、これら第１球通過口６４と球送出口２４ｃが部分的(貯留球の直径よりも幅狭)にのみ連通し、前記第２球通過口６５が第２球送出路２４ｂの球送出口２４ｄから変移して該球送出口２４ｄに前記球規制片部６７が到来して、これら第２球通過口６５と球送出口２４ｄが部分的(貯留球の直径よりも幅狭)にのみ連通するように設定されている。すなわち、貯留球通出規制部材６０を第２位置に到来させると、第１球送出路２４ａ内に貯留されている貸球としての貯留球および第２球送出路２４ｂ内に貯留されている賞球としての貯留球の夫々の通出を規制する貯留球通出規制状態とされ、前記第１球払出装置Ｌ1および第２球払出装置Ｌ2に対して、第１球送出路２４ａおよび第２球送出路２４ｂ内の夫々の貯留球が通出不能とされる。
【００２４】
(脱落防止構造)
また、前記規制板部６１の側端に切欠部７１が形成され、これにより該規制板部６１の側端奥側に係合片(係合部)７２が形成されている。この切欠部７１には、前記収容設置部５６に当該の貯留球通出規制部材６０を装着した際に、前記第１基材３１に立設形成した前記第１フック片３８の鈎部が臨むように設定されている。しかも、前記貯留球通出規制部材６０が前記第２位置に到来した際には、前記第１フック片３８の鈎部と前記係合片７２の端部とが係合するようになっており(図７(ａ)および図８(ａ))、これにより該貯留球通出規制部材６０の脱落防止が図られる。すなわち前記貯留球通出規制部材６０は、第１位置(通出許容位置)に到来している場合では、前記姿勢保持部６３の係合フック片６９が第１開口部４９に係合して第２球送出路部材２６からの脱落が防止され、また第２位置(通出規制位置)に到来している場合では、前記第１フック片３８が係合片７２に係合して第２球送出路部材２６からの脱落が防止されるようになっている。
【００２５】
なお、前記貯留球通出規制部材６０が第２位置にある場合には、前述した如く、第１フック片３８と係合片７２との係合により脱落防止が図られる一方、前記係合フック片６９の先端が前記第１開口部４９側方の壁面に当接するようになっている(図７(ａ))。従って、第２位置に到来している貯留球通出規制部材６０は、第１位置側へのスライド変位が規制され、この第２位置で好適に姿勢保持される。これにより実施例の貯留球通出規制部材６０は、第１位置および第２位置の何れの位置でも姿勢保持されるので、当該パチンコ機Ｐの振動等により通出許容状態から通出規制状態への不意の変位や、通出規制状態から通出許容状態への不意の変位が好適に防止される。
【００２６】
(貯留球通出切換部材について)
前記貯留球通出切換部材７５は、図４に示す如く、前記夫々の第２挿通口３７,４８を利用して前記第１球送出路２４ａおよび第２球送出路２４ｂと前記球抜路３０との分岐点に摺動自在に収容設置され、第１球送出路２４ａ内の貸球としての貯留球および第２球送出路２４ｂ内の賞球としての貯留球の前記球抜路３０に対する通出許容および通出規制を図るものである。この貯留球通出切換部材７５は、前記貯留球通出規制部材６０と基本構成が同一であって、一方端部に把持片７８を一体的に設けて第２挿通口３７,４８に挿入される細長シャッター状を呈する規制板部７６と、この把持片７８の側面に一体的に形成されて前記規制板部７６の側方に沿設される姿勢保持部７７とから構成されている。前記規制板部７６には、前記第１球送出路２４ａに整合可能な第１球通過口７９と、前記第２球送出路２４ｂに整合可能な第２球通過口８０が形成されている。また前記姿勢保持部７７は、前記第２開口部５０に係脱可能に係合する係合フック片８１と操作片８２から構成され、該操作片８２を押圧操作することで規制板部７６に対して変形可能となっている。
【００２７】
(貯留球通出切換部材の第１位置)
前記分岐部に設置された貯留球通出切換部材７５が、前記姿勢保持部７７の係合フック片８１が第２開口部５０に係合した第１位置に到来した場合は、その第１球通過口７９が第１球送出路２４ａに部分的(貯留球の直径よりも幅狭)にのみ連通すると共に、前記第２球通過口８０が第２球送出路２４ｂに部分的(貯留球の直径よりも幅狭)にのみ連通するように設定されている。すなわち、貯留球通出切換部材７５を第１位置に到来させると、第１球送出路２４ａ内に貯留されている貸球としての貯留球および第２球送出路２４ｂ内に貯留されている賞球としての貯留球の球抜きを規制する状態とされ、第１球送出路２４ａおよび第２球送出路２４ｂ内の夫々の貯留球は、前記第１球払出装置Ｌ1および第２球払出装置Ｌ2側へ通出案内されるようになる(図１０(ａ),(ｂ))。
【００２８】
(貯留球通出切換部材の第２位置)
また、前記分岐部に設置された貯留球通出切換部材７５が、前記係合フック片８１と第２開口部５０との係合を解除して第２位置に到来した場合は、その第１球通過口７９が第１球送出路２４ａに全面的に整合すると共に、前記第２球通過口８０が第２球送出路２４ｂに全面的に整合するように設定されている。すなわち、貯留球通出切換部材７５を第２位置に到来させると、第１球送出路２４ａ内に貯留されている貸球としての貯留球および第２球送出路２４ｂ内に貯留されている賞球としての貯留球の球抜きを許容する状態とされ、第１球送出路２４ａおよび第２球送出路２４ｂ内の夫々の貯留球は、夫々の球通過口７９,８０を介して球抜路３０側へ流出した後、球排出路２９から機外へ排出され得る(図１１)。
【００２９】
【実施例の作用】
次に、前述のように構成された本実施例に係るパチンコ遊技機の貯留球通出規制部材の作用につき説明する。
【００３０】
(貯留球通出規制部材等の装着)
本実施例のパチンコ機Ｐでは、前記第１基材３１と第２基材３２とを前記ビス５４を締付けて第２球送出路部材２６を組立てた後、前記貯留球通出規制部材６０を前記第１挿通口４７を介して前記収容設置部５６内に収容セットすると共に前記貯留球通出切換部材７５を前記第２挿通口４８を介して分岐点に収容セットすることで、単一ユニット部材として構成される。なお貯留球通出規制部材６０は、前記把持片６２および操作片７０を指先で強めに摘みながら前記規制板部６１を収容設置部５６へ挿入すれば、前記姿勢保持部６３の係合フック片６９が第１開口部４９から第２球送出路部材２６内へ進入する(図７(ｂ))。また貯留球通出切換部材７５は、前記把持片７８および操作片８２を指先で強めに摘みながら前記規制板部７６を第２挿通口４８へ挿入すれば、前記姿勢保持部７７の係合フック片８１が第２開口部５０から第２球送出路部材２６内へ進入する。
【００３１】
このように、貯留球通出案内部材６０および貯留球通出切換部材７５を装着した第２球送出路部材２６を前記機構セット盤Ｇにビス５３で組付けることにより、第１球送出路２４ａおよび第２球送出路２４ｂが前記第１球送出路部材２５の第１球送出路および第２球送出路に整合連通し、前記第１球送出路２４ａの球送出口２４ｃは前記第１球払出装置Ｌ1の球流入口に整合すると共に第２球送出路２４ｂの球送出口２４ｄは前記第２球払出装置Ｌ2の球流入口に整合連通する。
【００３２】
(パチンコ球の供給)
前記パチンコ機Ｐを、遊技ホール内の設置枠台(通称「島」)に縦向きの姿勢で設置した後、機外の球補給設備から球貯留排出経路部１４における前記球容器２２内へパチンコ球が供給される。これによりパチンコ球は、球容器２２から整流路部２３の第１整流路２３ａまたは第２整流路２３ｂへ流入し、第１整流路２３ａに内へ流入したパチンコ球は、球送出路部２４における第１球送出路部材２５の第１球送出路から第２球送出路部材２６の第１球送出路２４ａ内へ流入し、第２整流路２３ｂに内へ流入したパチンコ球は第１球送出路部材２５の第２球送出路から第２球送出路部材２６の第２球送出路２４ｂ内へ流入する。このとき、前記貯留球通出規制部材６０および貯留球通出切換部材７５を夫々第１位置に到来しているので、第１球送出路２４ａ内へ通入したパチンコ球は第１球払出装置Ｌ1へ到来して貸球用の貯留球として順次貯留され、第２球送出路２４ｂ内へ進入したパチンコ球は第２払出装置Ｌ2へ到来して賞球用の貯留球として順次貯留される。
【００３３】
そして貯留球が正常に貯留された状態において、当該パチンコ機Ｐでのパチンコ遊技に先立ち、遊技者が前記貸球用のカードおよびカードユニットＫを利用して適正な球貸し操作をした場合には、この操作に応答して前記第１球払出装置Ｌ1が作動制御されることにより、第１球送出路２４ａ内の所定数の貯留球が貸球として前記上球皿Ｅ側へ給出される(図１０(ａ))。このとき第１球送出路２４ａ内の貯留球は、前記貯留球通出規制部材６０の第１球通過口６４を通過した後、球送出口２４ｃから第１球払出装置Ｌ1へ順次通出される。
【００３４】
前記貸球を遊技球として前記遊技盤Ｊ内でパチンコゲームが展開されている途中で入賞球が発生した場合には、これに応答して前記第２球払出装置Ｌ2が作動制御されることにより、第２球送出路２４ｂ内の所定数の貯留球が賞球として前記上球皿Ｅ側へ給出される(図１０(ａ))。このとき第２球送出路２４ｂ内の貯留球は、前記貯留球通出規制部材６０の第２球通過口６５を通過した後、第２球送出口２４ｄから第２球払出装置Ｌ2へ順次通出される。
【００３５】
(貯留球の通出規制)
そして、当該パチンコ機Ｐが遊技に供されている期間において、例えば前記第１球払出装置Ｌ1または第２球払出装置Ｌ2の取外し点検や新品交換等の必要が発生した際には、第１位置に姿勢保持してある前記貯留球通出規制部材６０を第２位置へ姿勢変位させる。すなわち、前記把持片６２および操作片７０を指先で押圧操作して姿勢保持部６３の係合フック片６９と前記第１開口部４９との係合を解除したもとで、貯留球通出規制部材６０を手前側へ引張ることにより、該貯留球通出規制部材６０は摺動移動して第２位置へ変位し、前記夫々の球規制片部６６,６７が対応の第１球送出路２４ａおよび第２球送出路２４ｂへ臨むようになる(図７(ａ)および図９(ａ))。これにより夫々の球送出口２４ｃおよび球送出口２４ｄは、パチンコ球の直径よりも幅狭で部分的にのみ開口するため貯留球の通出が規制される。これにより、図９(ｂ)および図１０(ｂ)に示す如く、前記第２球払出装置Ｌ2を取外しても、第２球送出路２４ｂ内に一時的に貯留された賞球用の貯留球の通出落下が好適に規制される。またこれと同様に、前記第１球払出装置Ｌ1を取外しても、第１球送出路２４ａ内に一時的に貯留された貸球用の貯留球の通出落下が好適に規制される。なお、この時、第１フック片３８に係合片７２が係合するので、貯留球通出規制部材６０が第２球送出路部材２６から脱落することもない。
【００３６】
(貯留球の球抜き)
なお、前記貯留球通出切換部材７５を第２位置に姿勢変位させた場合には、図１１に示す如く、第１球送出路２４ａと第１球通過口７９が全面的に整合すると共に第２球送出路２４ｂと第２球通過口８０が全面的に整合し、第１球送出路２４ａおよび第２球送出路２４ｂ内の夫々の貯留球は、前記各球通過口７９,８０を介して球抜路３０側へ順次通出され、前記球排出路２９を介して機外へ排出される。すなわち実施例のパチンコ機Ｐでは、第１球払出装置Ｌ1および第２球払出装置Ｌ2へ到来する前の貯留球を機外へ排出することが可能となっており、これら第１および第２の各球払出装置Ｌ1,Ｌ2を作動させることなく球抜き作業を行ない得る。
【００３７】
このように実施例では、貸球用の貯留球を通出案内する第１球送出路２４ａおよび賞球用の貯留球を通出案内する第２球送出路２４ｂの球送出口２４ｃ,２４ｄに臨む位置に、両球送出路２４ａ,２４ｂ内の貯留球の通出規制を行なう貯留球通出規制部材６０を装着するようにしたので、該貯留球通出規制部材６０を第２位置(遊技球通出規制状態)に到来させて前記第１球払出装置Ｌ1または第２球払出装置Ｌ2を取外しても、第１球送出路２４ａおよび第２球送出路２４ｂ内の貯留球が１球も通出落下することがない。
【００３８】
また実施例の貯留球通出規制部材６０は、第１球送出路２４ａ内および第２球送出路２４ｂ内の両方の貯留球に対する通出規制を、ワンタッチ操作で同時に行なうことができ、貯留球の通出規制および規制解除に係る操作が簡単かつ迅速に行ない得る。これにより、前記球貯留排出経路部１４の点検や修理、前記第１球払出装置Ｌ1および第２球払出装置Ｌ2の取外し点検や新品交換に、煩わしい作業が伴わない。
【００３９】
なお実施例では、貸球用および賞球用の２列の球送出路２４ａ,２４ｂを有するパチンコ機Ｐを前提として、これら球送出路２４ａ,２４ｂにおける夫々の球送出口２４ｃ,２４ｄの通出規制および規制解除を行なう場合で説明したが、貸球用および賞球用を１列の球送出路で兼用するパチンコ機の場合には、前記規制板部６１に１つの球通過口を開設して、１列の球送出路における球送出口の通出規制および規制解除を行なうようにすればよい。
【００４０】
【発明の効果】
以上説明した如く、本発明に係るパチンコ遊技機の貯留球通出規制部材では、貯留球を通出案内する球送出路の球送出口に臨む位置に、該球送出路内の貯留球の通出規制を行なう貯留球通出規制部材を装着するようにしたので、該貯留球通出規制部材を第２位置(遊技球通出規制状態)に到来させれば、球送出路内の貯留球が１球も通出落下しない利点がある。
そして貯留球通出規制部材は、貯留球の通出を許容する第１位置および通出を規制する第２位置の何れの位置にあっても、適切な位置決めがなされると共にこの位置での固定保持がなされる。
【図面の簡単な説明】
【図１】本発明の実施例に係る貯留球通出規制部材が装着された球送出路部および球払出装置を示す正面図である。
【図２】機構セット盤に配設された球貯留排出経路部を示す斜視図である。
【図３】機構セット盤に配設される球貯留排出経路部において、球送出部を構成する第２球送出路部材および貯留球通出規制部材を組付ける状態を示す斜視図である。
【図４】球送出路部を構成する第２球送出路部材と、この部材に装着される貯留球通出規制部材および貯留球通出切換部材を示す斜視図である。
【図５】第２球送出路部材を構成する第１基材および第２基材を、一部破断して背面側から視た分解斜視図である。
【図６】第２球送出路部材を構成する第１基材および第２基材を、正面側から視た分解斜視図である。
【図７】第２球送出路部材に装着した貯留球通出規制部材の各状態を示す底面図であって、(ａ)は、貯留球通出規制部材が第２位置に到来している状態、(ｂ)は、第２位置から第１位置へ移動している状態、(ｃ)は、第１位置へ到来した状態を示している。
【図８】  (ａ)は、第２位置に到来している貯留球通出規制部材の斜視図、(ｂ)は、第１位置に到来している貯留球通出規制部材の斜視図である。
【図９】  (ａ)は、貯留球通出規制部材が第１位置に到来していることで、各球送出路内の貯留球の通出が許容された状態を示す一部破断側面図、(ｂ)は、貯留球通出規制部材が第２位置に到来していることで、各球送出路内の貯留球の通出が規制された状態を示す一部破断側面図である。
【図１０】  (ａ)は、貯留球通出規制部材が第１位置に到来していることで、球送出路内の貯留球の通出が許容された状態を破断して示す正面図、(ｂ)は、貯留球通出規制部材が第２位置に到来していることで、球送出路内の貯留球の通出が規制された状態を破断して示す正面図である。
【図１１】貯留球通出切換部材が第２位置に到来することで、球通路内の貯留球が球抜路側へ通出される球抜き状態を破断して示す正面図である。
【図１２】本実施例の貯留球通出規制部材が実施されるカード式パチンコ機の正面図である。
【図１３】図１２に示したカード式パチンコ機の背面図である。
【符号の説明】
１４  球貯留排出経路部
２４  球送出路部
２４ａ  第１球送出路
２４ｂ  第２球送出路
２４ｃ,２４ｄ  球送出口
３６,４７  第１挿通口(挿通口)
３８  第１フック片(第２の係合片)
４９  第１開口部(第１の係合部)
６０  貯留球通出規制部材
６１  規制板部
６２  把持片
６４  第１球通過口
６５  第２球通過口
６８  支持片
６９  係合フック片(第１の係合片)
７０  操作片
７２  係合片(第２の係合部)
Ｌ1  第１球払出装置
Ｌ2  第２球払出装置
【図１】
0004482903.tif 000002
【図２】
0004482903.tif 000003
【図３】
0004482903.tif 000004
【図４】
0004482903.tif 000005
【図５】
0004482903.tif 000006
【図６】
0004482903.tif 000007
【図７】
0004482903.tif 000008
【図８】
0004482903.tif 000009
【図９】
0004482903.tif 000010
【図１０】
0004482903.tif 000011
【図１１】
0004482903.tif 000012
【図１２】
0004482903.tif 000013
【図１３】
0004482903.tif 000014